(57)【特許請求の範囲】
【請求項１】
上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すものであって、前記遊技盤面を２個並べて配置して構成したメダル投下形プッシャマシンにおいて、
前記隣設する遊技盤面のフィールドの間に設けられ、各遊技盤で特別入賞が発生したとき、容器を支持するスライドベースを一定の高さまで上昇させ、特別入賞が発生した側の遊技盤面のフィールド側に前記容器を傾斜させて容器内のメダルを払い出すメダル払い出し機構の、スライドベースを上下に移動および容器を左右に傾斜させるように動作させる駆動機構であって、
前記駆動機構は、正および逆方向の回転が前記容器の左方向および右方向の傾斜に対応させられた１つのモータと、
前記モータ軸に取り付けられた傾斜用カムおよび上下用カムと、
前記スライドベースに取り付けられた容器支持板と、
前記容器に一体に取り付けられた傾斜用クランクとを有し、
前記モータの正方向の回転により前記上下用カムが回転して前記容器支持板を押し上げ、その後に傾斜用カムによって前記容器を一方側に傾斜させ、
前記モータの逆方向の回転により前記上下用カムが回転して前記容器支持板を押し上げ、その後に傾斜用カムによって前記容器を他方側に傾斜させるように構成したことを特徴とするメダル投下形プッシャマシンのメダル払い出し駆動機構。
【請求項２】
光検出器を設け、前記モータの回転軸に取り付けたセンサプレートを前記光検出器が検知することにより、前記スライドベースの上下位置および前記傾斜用クランクの回転位置に対応する情報を送ることを特徴とする請求項１記載のメダル投下形プッシャマシンのメダル払い出し駆動機構。
【発明の詳細な説明】
【０００１】
【発明の属する技術分野】
本発明は、メダル投下形プッシャマシンのメダル払い出し駆動機構、さらに詳しくいえば、特別入賞が発生したとき、容器にストックされている多数のメダルをフィールドに払い出すために、容器を上昇させ、右または左に傾斜させるように駆動する駆動機構に関する。
【０００２】
【発明が解決しようとする課題】
まず、図６，図７および図８を用いてメダル投下形プッシャマシンの構造および遊技の方法について説明する。
図６は、メダル投下型プッシャマシンの遊技盤面を取り出した斜視図、図７は遊技盤面の裏面側の斜視図である。
基板３５の前に透明板３６が配置され、基板３５の上部に設けられた２個のメダルガイド３７，３８から遊技者によって投入されるメダルが基板３５と透明板３６の間を落下するようになっている。
【０００３】
基板３５の中央の左右にはオープンチェッカ４２，４３が設けられ、メダルの通過を検知すると基板３５の中央に設けられているメダル通過チェッカ４０を開くようになっている。遊技者はメダルガイド３８よりメダルをオープンチェッカ４２，４３を狙って投入することとなる。
オープンチェッカ４２，４３をメダルが通過すると数秒間だけメダル通過チェッカ４０のウイング機構４ａが開き、メダルがメダル通過チェッカ４０に入り易くなる。
【０００４】
メダルがメダル通過チェッカ４０を通過すると、基板３５の中央上部に設けられているスロットリール表示用ディスプレイ装置３９の液晶モニタ上に表示されている３リールスロットがスタートし、一定時間経過後に左→右→中央の順で停止する。スロットの絵柄の出方によって入賞判定が行われる。入賞内容は例えば、所定の絵柄が揃えば、メダルを所定枚数フィールド（メタル押動板３３）に払い戻しする。また、ラッキー賞になると、所定の時間、基板３５の中央下部に設けたメダル流入機構４１のメダル捕捉板４７が図８に示すように前面に開口する。
投入されたメダルはピンハネ部４４，４５などで跳ね返されてメダルの多くはメダル流入機構４１に流入し、メダル流入毎に規定枚数のメダルがフィールドに払い戻される。
【０００５】
ラッキー賞になると同時に液晶モニタにストーリが表示され１ラウンド分のストーリが進行する。そして、所定のラウンドまでストーリが進行すると、特別入賞となり、メダル押動板３３の側部に設けられている図示しないメダル搭載ケースより多数のメダルがフィールドに払い戻される。
メダル押動板３３とメダル受け盤３２に多数のメダルが溜まっており、メダル押動板３３が矢印４６に示す方向に移動することにより、新たに払い出されたメダルにより他のメダルが押され、メダル受け盤３２に落ち、さらにメダル受け盤３２で他のメダルが押されて遊技者の元に払い出される。
なお、図６における３９ａはスロットリール用ディスプレイ装置３９の裏面側を，４２ａ，４３ａはオープンチェッカ４２，４３の裏面側を，４４ａ，４５ａはピンハネ部４４，４５の裏面側をそれぞれ示す。
【０００６】
上記メダル投下形プッシャマシンは遊技盤を２個並列に配置して構成されており、各遊技盤に対応してメダル搭載ケースがそれぞれ設けられていることが一般的であるが、本プッシャマシンのメダル払い出し機構の簡略化のために２つの遊技盤面のフィールドの間に１つのメダル払い出し機構を配置し、上昇した後、左側または右側に傾いてそれぞれの側にメダルを払い出すことが考えられる。
メダル払い出し機構としては上下駆動するための駆動手段と、傾斜させるための駆動手段とをそれぞれ有することが一般的である。
【０００７】
上記１つのメダル払い出し機構の配置を考えた場合、１つの駆動手段で上下動と傾斜させる動作を行うことができれば、さらに機構の簡略化を進めることができる。
本発明の課題は、遊技盤を２個並列に配置して構成したメダル投下形プッシャマシンにおいて２つの遊技盤のフィールドの中央に配置されたメダル払い出し機構を１つの駆動源で上下させる動作と傾斜させる動作を可能にすることにより本プッシャマシンのコスト低減化を図ったメダル払い出し駆動機構を提供することにある。
【０００８】
【課題を解決するための手段】
前記課題を解決するために本発明によるメダル払い出し駆動機構は、上部のメダル投入口よりメダルを投入することにより、遊技盤面上をメダルが落下し、遊技盤面上に設けられたメダル通過機構部分を通過したり、メダル流入機構に流入することにより下部に設けられたフィールドにメダルを払い戻し、前後に移動するメダル押動板によりフィールド上に溜まったメダルを遊技者に払い戻すものであって、前記遊技盤面を２個並べて配置して構成したメダル投下形プッシャマシンにおいて、前記隣設する遊技盤面のフィールドの間に設けられ、各遊技盤で特別入賞が発生したとき、容器を支持するスライドベースを一定の高さまで上昇させ、特別入賞が発生した側の遊技盤面のフィールド側に前記容器を傾斜させて容器内のメダルを払い出すメダル払い出し機構の、スライドベースを上下に移動および容器を左右に傾斜させるように動作させる駆動機構であって、前記駆動機構は、正および逆方向の回転が前記容器の左方向および右方向の傾斜に対応させられた１つのモータと、前記モータ軸に取り付けられた傾斜用カムおよび上下用カムと、前記スライドベースに取り付けられた容器支持板と、前記容器に一体に取り付けられた傾斜用クランクとを有し、前記モータの正方向の回転により前記上下用カムが回転して前記容器支持板を押し上げ、その後に傾斜用カムによって前記容器を一方側に傾斜させ、前記モータの逆方向の回転により前記上下用カムが回転して前記容器支持板を押し上げ、その後に傾斜用カムによって前記容器を他方側に傾斜させるように構成してある。
また、本発明は上記構成において光検出器を設け、前記モータの回転軸に取り付けたセンサプレートを前記光検出器が検知することにより、前記スライドベースの上下位置および前記傾斜用クランクの回転位置に対応する情報を送るように構成してある。
【０００９】
上記構成によれば、１つの駆動手段で上下の動作と右または左方向の傾斜の動作を行うことができ、プッシャマシンのコストを抑えることができる。
【００１０】
【発明の実施の形態】
以下、図面を参照して本発明の実施の形態を詳しく説明する。
図１は、本発明によるメダル払い出し駆動機構を適用したメダル投下形プッシャマシンの実施の形態を示す図で、（ａ）は正面図，（ｂ）は側面図である。
メダル投入形プッシャマシン７は２台の縦形遊技盤１より構成されている。縦形遊技盤１の上部にはスピーカ６が設けられている。メダル投入口２よりメダルを投入すると、縦形遊技盤１の基板と透明板の間を落下して行く。
【００１１】
縦形遊技盤の下側前面には、縦形遊技盤１に投入されたメダルによってフィールドに払い出され、さらにフィールドから押し出されたメダルを遊技者に払い出しするためのコインカップ５が設けられている。
メンテナンスのために前面の透明ドア４と、側面のメダル補充用透明ドア３とが開閉可能になっている。
２台の縦形遊技盤１は垂直にメダル投入形プッシャマシン７の筐体基部に取り付けられている。
メダル払い出し機構８は２台の縦形遊技盤１のフィールドの中間位置に設けられ、いずれのフィールドに対しても払い出しが可能なようになっている。
本発明によるメダル払い出し駆動機構は、メダル払い出し機構８を駆動し、後述の容器１４（図２参照）を上昇させた後、右側または左側に傾斜させる。
【００１２】
図２は、図１のメダル払い出し機構の一例を示す図で、（ａ）はターンベースの右側面を省略した斜視図，（ｂ）は前カバー，ターンベースの前面を省略した正面図をそれぞれ示している。
容器１４の前部に前カバー１２が取り付けられている。左右の払出用扉１０，１１はその折曲部１０ａ，１０ｂと１１ａ，１１ｂの支軸を支点に回動可能に取り付けられている。コイルバネ２２の両端は左右の払出用扉１０，１１の係止部１０ｃ，１１ｃに係止され、左右の払出用扉１０，１１は、コイルバネ２２によって引っ張られている状態であり、水平状態では（ｂ）に示すように閉じた状態である。
【００１３】
ターンベース１９には、容器１４が取り付けられており、前カバー１２の中央上部の切欠部１２ａよりメダルのストック状態を知ることができる。
ターンベース１９は容器支持板１５の上に搭載され支持されている。
容器支持板１５は、スライドベース９に取り付けられている。また、バネベース２０は容器支持板１５に取り付けられている。
スライドベース９にはコロを装着したボス１６，１７が植設され、このボス１６，１７のコロに払出用扉１０，１１の一方の折曲部１０ａと１１ａの傾斜した下縁が接触している。
スライドベース９は図示しない部材に上下にスライド可能に取り付けられている。
【００１４】
ターンベース１９の前面側は、容器支持板１５の折曲部１５ａに、ターンベース１９の他端側の軸２８（図３参照）はスライドベース９にそれぞれ回動可能に支持されている。軸２８には傾斜用クランク１８が取り付けられている。
バネベース２０には、バネ２１が取り付けられ、バネ２１の両端はターンベース１９の裏面に接した状態になっている。
メダル払い出し時にはメダル払い出し駆動機構の上下用カム２５（図３参照）によってスライドベース９が上昇し、所定位置に達した後に、上記傾斜用クランク１８の一端の左側面１８ａまたは右側面１８ｂを左側または右側から傾斜用カム２６（図３参照）が押すことにより、図２（ａ）に示すように容器が傾斜する。
【００１５】
図３は、本発明によるメダル払い出し駆動機構の実施の形態を示す斜視図であり、ターンベースの側面が省略された図である。図４は図３の分解斜視図である。
図２のメダル払い出し機構の裏面側に駆動機構が取り付けられている。
ＤＣモータ２３の出力軸はギアボックス２４に接続され、モータの回転は減速されてギアボックスの出力軸２４ａに伝達される。ＤＣモータ２３とギアボックス２４とはモータスペーサ５６を介してモータベース２９に取り付けられている（図３ではモータスペーサ５６，モータベース２９およびホトセンサ５１，５２，ホトインタラプタ５３，５４，５５が省略されている。）
【００１６】
ギアボックスの出力軸２４ａには上下伝達用クランク２７が固定され、その裏面側に上下用カム２５が取り付けられている。また、上下伝達用クランク２７の前面側には傾斜用カム２６が取り付けられ、さらに傾斜用カム２６にセンサプレート５０が固定されている。
モータベース２９には、回転軸２４ａの各回転位置を検出するための第１ホトセンサ５１，第２ホトセンサ５２，第１ホトインタラプタ５５，第２ホトインタラプタ５４および第３ホトインタラプタ５３が設けられている。
図４において、回転軸２４ａが左回転する場合には、第１ホトインタラプタ５５，第２ホトインタラプタ５４および第１ホトセンサ５１が回動軸２４ａの回転位置を検出する。
また、回転軸２４ａが右回転する場合には、第１ホトインタラプタ５５，第３ホトインタラプタ５３および第２ホトセンサ５２が回動軸２４ａの回転位置を検出する。
【００１７】
図５は、図３のメダル払い出し駆動機構の動作を説明するための図で、（ａ）はスライドベースが上昇した状態を、（ｂ）は容器が右側に傾いている状態をそれぞれ示している。（ａ）（ｂ）においてターンベースの側面が省略されている。
以下、図５を含めて動作を説明する。
図３において、ＤＣモータ２３が左回転すると、出力軸２４ａも左回転を開始する。当初、センサプレート５０は第１ホトインタラプタ５５の光を遮った状態（以下、「オフ」という）であり、出力軸２４ａの回転開始により第１ホトインタラプタ５５の光は受光部に達し（以下、「オン」という）、その情報はＤＣモータ２３を制御する回路に送られる。
【００１８】
上下用カム２５は容器支持板１５を徐々に押し上げていき、最も高い位置に押し上げる（図５（ａ）の位置である）とともに上記センサプレート５０は第２ホトインタラプタ５４をオフ状態にする。この情報はＤＣモータ２３を制御する回路に送られる。
さらに左回転すると、傾斜用カム２６は図２（ｂ）に示すように傾斜用クランク１８の側面１８ａを押し、容器１４を図５（ｂ）に示すように傾斜させる（プッシャマシンの裏面側から見ると右回転）。そして、所定角度だけ傾斜させる位置まで回転すると、センサプレート５０は第１ホトセンサ５１に達し、第１ホトセンサ５１はオフ状態となり、所定角度だけ容器が傾斜するとともに左側払出用扉が開口する。第１ホトセンサ５１のオフ情報は、ＤＣモータ２３を制御する回路に送られ、この情報によりＤＣモータ２３は一定時間、回転を停止する。この停止時間中に容器からメダルが左側の遊技盤面のフィールドに払い出される。
【００１９】
一定時間経過すると、再度左回転を開始し、上下用カム２５の容器支持板１５への接触面は下がりスライドベース９は下降を開始するとともに傾斜用カム２６が傾斜用クランク１８の先端を乗り越えるため、容器の傾斜は緩くなっていく。一回転して元の位置まで戻ると、容器は水平状態になるとともに第１ホトインタラプタ５５はオフしてその情報が送られ、ＤＣモータ２３は回転を停止する。ＤＣモータ２３が右回転する場合も、左回転と同様な動作により、容器からメダルが左側の遊技盤面のフィールドに払い出される。
なお、ほとんど同時に、右側および左側の遊技盤面のフィールドにメダル払い出しの特別入賞が発生した場合には、先に生じた側の遊技盤面のフィールドにメダルを払い出し、容器にメダルを補給した後にもう一方の側の遊技盤面のフィールドにメダルを払い出すこととなる。
【００２０】
【発明の効果】
以上、説明したように本発明は、遊技盤面を２個並べて配置して構成したメダル投下形プッシャマシンにおいて、隣設する遊技盤面のフィールドの間に設けられ、各遊技盤で特別入賞が発生したとき、容器を支持するスライドベースを一定の高さまで上昇させ、特別入賞が発生した側の遊技盤面のフィールド側に容器を傾斜させて容器内のメダルを払い出すメダル払い出し機構の、スライドベースを上下に移動および容器を左右に傾斜させるように動作させる駆動機構であって、前記駆動機構は、正および逆方向の回転が前記容器の左方向および右方向の傾斜に対応させられた１つのモータと、モータ軸に取り付けられた傾斜用カムおよび上下用カムと、スライドベースに取り付けられた容器支持板と、容器に一体に取り付けられた傾斜用クランクとを有し、モータの正方向の回転により上下用カムが回転して容器支持板を押し上げ、その後に傾斜用カムによって前記容器を一方側に傾斜させ、モータの逆方向の回転により上下用カムが回転して容器支持板を押し上げ、その後に傾斜用カムによって容器を他方側に傾斜させるように構成したものである。
したがって、１つのモータによって上下の駆動と傾斜の駆動を行うことができ、払い出し駆動機構を簡易にすることができ、プッシャマシンのコストを抑えることができる。
モータが回転をすれば、容器の上昇→容器の傾斜→メダル払い出し→容器の傾斜の復帰→容器の下降というように一連の動作を行うので、故障の発生が少なくなる。
【図面の簡単な説明】
【図１】本発明によるメダル払い出し駆動機構を適用したメダル投下形プッシャマシンの実施の形態を示す図で、（ａ）は正面図，（ｂ）は側面図をそれぞれ示している。
【図２】図１のメダル払い出し機構の一例を示す図で、（ａ）はターンベースの右側面を省略した斜視図，（ｂ）は前カバー，ターンベースの前面を省略した正面図をそれぞれ示している。
【図３】本発明によるメダル払い出し駆動機構の実施の形態を示す斜視図であり、ターンベースの側面が省略された図である。
【図４】図３の分解斜視図である。
【図５】図３のメダル払い出し駆動機構の動作を説明するための図で、（ａ）はスライドベースが上昇した状態を、（ｂ）は容器が右側に傾いている状態をそれぞれ示している。
【図６】メダル投下形プッシャマシンの遊技盤面を取り出して示した斜視図である。
【図７】遊技盤面の裏面側の斜視図である。
【図８】メダル流入機構の外観を示す斜視図である。
【符号の説明】
１…縦形遊技盤
２…メダル投入口
３…メダル補充用側面透明ドア
４…前面透明ドア
５…コインカップ
６…スピーカ
７…メダル投入形プッシャマシン
８…メダル払い出し機構
９…スライドベース
１０…左側払出用扉
１１…右側払出用扉
１２…前カバー
１４…容器
１５…容器支持板
１６，１７…ボス
１８…傾斜用クランク
１９…ターンベース
２０…バネベース
２１…バネ
２２…コイルバネ
２３…ＤＣモータ
２４…ギアボックス
２５…上下用カム
２６…傾斜用カム
２７…上下伝達用クランク
５０…センサプレート
５１…ホトセンサ
５２…ホトセンサ
５３…第３ホトインタラプタ
５４…第２ホトインタラプタ
５５…第１ホトインタラプタ
【図１】
0003788540.tif 000002
【図２】
0003788540.tif 000003
【図３】
0003788540.tif 000004
【図４】
0003788540.tif 000005
【図５】
0003788540.tif 000006
【図６】
0003788540.tif 000007
【図７】
0003788540.tif 000008
【図８】
0003788540.tif 000009